(57)【要約】【課題】立主管の下部に接続されて排水流れを横向きに曲げる脚部ベンドにおいて、内部で発生する衝突音を原因とした騒音を防止できるようにする。【解決手段】立主管９内から見て内曲がり方向の突き当たり面となる管内面に対し、振動吸収材１５を設けた。【選択図】　　　図１
2004068497.tif 000002
【特許請求の範囲】
【請求項１】
立主管（９）の下部に接続されて排水流れを横向きに曲げる脚部ベンドにおいて、立主管（９）内から見て内曲がり方向の突き当たり面となる管内面に振動吸収材（１５）が設けられていることを特徴とする消音型脚部ベンド。
【請求項２】
前記振動吸収材（１５）は、弾性材により形成されていることを特徴とする請求項１記載の消音型脚部ベンド。
【請求項３】
前記振動吸収材（１５）はシート材であって、管内面に対して貼り付けられていることを特徴とする請求項１又は請求項２記載の消音型脚部ベンド。
【発明の詳細な説明】
【０００１】
【発明の属する技術分野】
本発明は、消音型脚部ベンドに関するものである。
【０００２】
【従来の技術】
集合住宅等の多層階建物で採用される排水管システム等において、立主管の下端部には、排水流れを横向きに曲げるために脚部ベンドが接続される。
この脚部ベンドが首長タイプと呼ばれる場合であるときにはそのいわゆる首部分は、多くの場合、床スラブを貫通して設置される。また首長タイプではない標準タイプの脚部ベンドではそのすぐ上に接続される排水管が床スラブを貫通して設置されることになる。
【０００３】
このような場合、床スラブを貫通している管の外周面と貫通孔の内周面との周間にはモルタルが充填されるが、そのため管内部で発生する排水騒音がモルタルから床スラブに伝搬して、建物の室内へ放射されるということがあった。このような原因で起こる騒音を「排水固体音」と呼んでいる。
従来、このような排水固体音を防止する対策として、管の外周面とモルタルとの周間へ適宜弾性材を設けたり、管の外周面と貫通孔の内周面との周間にモルタルに置換してロックウール等を詰め込んだりすることが提案されていた（特開平１０−２３８６６３号公報等参照）。
【０００４】
ところで、上記した脚部ベンドでは、立主管内を流れ落ちてきた排水や固形物が急激に排水流れ方向を曲げられるために、内曲がり内面で大きな衝突音を生じることがあり、この衝突音も排水固体音の一つとなっている。
【０００５】
【発明が解決しようとする課題】
従来提案されている各種の排水固体音の防止対策は、いずれも、脚部ベンドや排水管から床スラブへと伝搬する排水固体音を防止しようとするものである。
しかしながら、上記したように脚部ベンドでは排水や固形物等の衝突音を原因とする大きな騒音が発生し、このような騒音は、空気中を伝搬して建物の室内へと放射されることになる。
すなわち、このような騒音に対しては、従来、何ら対策されていないことになる。
【０００６】
本発明は、上記事情に鑑みてなされたものであって、脚部ベンド内で発生する衝突音を原因とした騒音を防止できるようにした消音型脚部ベンドを提供することを目的とする。
【０００７】
【課題を解決するための手段】
前記目的を達成するために、本発明は次の手段を講じた。
即ち、本発明に係る消音型脚部ベンドは、立主管９の下部に接続されて排水流れを横向きに曲げる脚部ベンドにおいて、立主管９内から見て内曲がり方向の突き当たり面となる管内面に振動吸収材１５が設けられている。
このような構成であるため、立主管９内を流れ落ちてきた排水や固形物１８は振動吸収材１５にぶつかってからその排水流れ方向を曲げられるようになる。従って、これら排水や固形物１８が振動吸収材１５にぶつかるときの衝突音（振動）は吸収され、騒音としての発生が抑制乃至解消される。
【０００８】
これにより、このような衝突音として、建物の室内へ伝搬することが防止されるものである。
振動吸収材１５は、例えばゴムや樹脂等の弾性材により形成されているものとすればよい。
振動吸収材１５はシート材であって、管内面に対して貼り付けるようにすればよい。
このようにすることで、構造の簡潔化が図れ、脚部ベンドとしての製作も容易となって高コスト化を防止できることになる。
【０００９】
なお、このような貼り付けの他、吹きつけ法等によるライニングとしてもよい。
【００１０】
【発明の実施の形態】
以下、本発明の実施の形態を、図面に基づき説明する。
図１乃至図３は、本発明に係る消音型脚部ベンド１の第１実施形態を示している。
この第１実施形態で示した消音型脚部ベンド１は、曲がり管部２から上の首部３が長く形成された首長タイプとしている。
そのためこの消音型脚部ベンド１を集合住宅等の多層階建物で使用する場合、例えば、最下階層の床スラブ５に設けた貫通孔６へ首部３を縦方向に貫通させ、この貫通部分の管外周面と貫通孔６の内周面との周間へモルタル７を充填するようにして設置することになる。
【００１１】
なお、首部３の外周面とモルタル７との周間へ適宜弾性材を設けたり、或いは首部３の外周面と貫通孔６の内周面との周間にモルタル７と置換するかたちでロックウール等を詰め込んだりするといった従来の排水固体音の防止対策（図示略）を採用してもよいことは言うまでもない。
そして、この消音型脚部ベンド１は、首部３側の上端部に設けられる継ぎ手部８を介して立主管９の下端部に接続されることになり、また曲がり管部２より下流側の端部に設けられる継ぎ手部１０を介して横主管１１等が接続されることになる。
【００１２】
本発明に係る消音型脚部ベンド１は、立主管９内から下方を見たときに内曲がり方向の突き当たり面となる管内面に、振動吸収材１５が設けられている。
この振動吸収材１５は、例えばゴムや樹脂等の弾性材により形成されている。また、この振動吸収材１５は、シート材として形成された素材をゴム系接着剤や瞬間接着剤などの接着剤により、所定の管内面へ貼り付けたものとしてある。
振動吸収材１５に要求される性能としては、耐水性、耐薬品性（特に尿素や酸、油脂分、酸性洗剤やアルカリ性洗剤に対するもの）、耐久性（特に弾性）、及びこれらにおける広域温度帯性（マイナス数十℃〜プラス数十℃）などである。
【００１３】
また、管路抵抗を抑えるためには肉厚的に分厚くなりすぎることを避けるべきであり、そのうえで十分な弾性（振動吸収性）を発揮することが要求される。
本第１実施形態では、厚さ３ｍｍで硬度Ｓ、衝撃エネルギーの吸収率が９４％以上を有する樹脂系シート材を用いた。
この振動吸収材１５を設ける範囲としては、上記したように、「立主管９内から下方を見たときに内曲がり方向の突き当たり面となる管内面」（図２中に示す矢符Ｆの下端あたり）を最小範囲として、その幅方向では、好ましくは図３から明らかなように、曲がり管部２内の略半周域（Ｗ）とし、また長手方向では、好ましくは首部３の内径領域Ｄを所定分（Ｌ）だけ超えた範囲（Ｄ＋Ｌ）とすればよい。
【００１４】
また曲がり管部２内における立ち上がり方向でも、図２に示すように適当量（Ｈ）を確保しておくのが好ましい。
このような消音型脚部ベンド１では、立主管９内を流れ落ちてきた排水や固形物１８は、振動吸収材１５にぶつかってからその排水流れ方向を曲げられるようになるので、これら排水や固形物１８が振動吸収材１５にぶつかるときの衝突音（振動）は吸収され、騒音としての発生が抑制乃至解消される。
これにより、このような衝突音として、建物の室内へ伝搬することが防止されるものである。
【００１５】
図４は、本発明に係る消音型脚部ベンド１の第２実施形態を示している。
この第２実施形態で示した消音型脚部ベンド１は標準的なタイプ（曲がり管部２から上が通常長さである）としている。そのため、この消音型脚部ベンド１のすぐ上に接続される立主管９が床スラブ５に設けられた貫通孔６を縦方向に貫通して設置され、またこの貫通部分の管外周面と貫通孔６の内周面との周間へモルタル７が充填されている。
この第２実施形態の消音型ベンド１において、振動吸収材１５が設けられることに関しての構成及びその作用効果等は上記第１実施形態の場合と略同様であるので、ここでの詳説は省略する。
【００１６】
ところで、本発明は、上記した各実施形態に限定されるものではなく、実施の形態に応じて適宜変更可能である。
例えば、振動吸収剤１５は、樹脂材等を吹きつけ法等によって所定の管内面へ付着させることによるライニングとしてもよい。
また床スラブ５は、最下階層のものだけに限らないものであり、従って消音型脚部ベンド１としての設置個所が最下階層に限定されるものではない。
勿論、脚部ベンドの基本構成（曲がり角度、内径、継ぎ手部構造、材質等）については何ら限定されるものではない。
【００１７】
【発明の効果】
以上の説明から明らかなように、本発明に係る消音型脚部ベンドでは、内部で発生する衝突音を原因とした騒音を防止できる。
【図面の簡単な説明】
【図１】本発明に係る消音型脚部ベンドの第１実施形態を示した側面図である。
【図２】側断面図である。
【図３】図１のＡ−Ａ線拡大断面図である。
【図４】本発明に係る消音型脚部ベンドの第２実施形態を示した側面図である。
【符号の説明】
１　　消音型脚部ベンド
９　　主管
１５　　振動吸収材
【図１】
2004068497.tif 000003
【図２】
2004068497.tif 000004
【図３】
2004068497.tif 000005
【図４】
2004068497.tif 000006